(57)【要約】【課題】  トップガイドの調整をコンパクトな構成で簡単且つ正確に行う。【解決手段】  丸鋸機１のベース２に、回転可能な調整ダイヤル１６をトップガイド１１の貫通状態で軸着し、調整ダイヤル１６におけるトップガイド１１への貫通部分にカム部１９を形成して、調整ダイヤル１６の回転に伴うカム部１９の回転により、トップガイド１１をスライド可能とした。一方、調整ダイヤル１６の操作部１８とトップガイド１１との間には、Ｏリング２１が介在されて、調整ダイヤル１６の回転に抵抗を与えるようにしている。【選択図】  図１
2005066730.tif 000002
【特許請求の範囲】
【請求項１】
モータ駆動で回転する切断刃を有する本体と、その本体を支持するベースとを備え、前記ベースの端部上面に、前記切断刃の位置を示すトップガイドを、前記切断刃との直交方向へスライド可能に設けた切断機であって、
前記ベースに、回転操作可能な調整ダイヤルを前記トップガイドの貫通状態で上下方向に軸着し、前記調整ダイヤルにおける前記トップガイドへの貫通部分にカム部を形成して、前記調整ダイヤルの回転操作に伴う前記カム部の回転により、前記トップガイドをスライドさせることを特徴とする切断機。
【請求項２】
調整ダイヤルに、その回転に抵抗を与える負荷手段及び／又はその回転を任意にロック可能なロック手段を設けた請求項１に記載の切断機。
【請求項３】
負荷手段が、調整ダイヤルとトップガイドとの間、または前記調整ダイヤルを軸着する軸の先端側と調整ダイヤルとの間にあって、前記調整ダイヤルを軸方向へ付勢する弾性体である請求項２に記載の切断機。
【請求項４】
ロック手段が、調整ダイヤルに対して移動操作可能に設けられ、所定の位置で前記調整ダイヤルの回転を直接または間接に規制可能な回転規制部材である請求項２または３に記載の切断機。
【請求項５】
回転規制部材に、調整ダイヤルの回転規制位置で前記調整ダイヤルの上方を覆うカバー部を設けた請求項４に記載の切断機。
【発明の詳細な説明】
【技術分野】
【０００１】
本発明は、モータ駆動で回転する切断刃を有する本体と、その本体を支持するベースとを備え、ベースの端部上面に、切断刃の位置を示すトップガイドを設けた切断機に関する。
【背景技術】
【０００２】
切断機は、モータ駆動で回転する切断刃を有する本体と、その本体を支持するベースとを備え、ベースの端部上面に、切断刃の位置を示すトップガイドを設けて、切断刃による切断位置を認識しやすくしている。
【０００３】
このトップガイドは、寸法公差や切断刃の種類等によって切断刃との位置にずれが生じることがあるため、トップガイドを切断刃との直交方向へスライド可能に設けて、トップガイドの表示位置（例えば切込みの端部）を切断刃の延長面上へ合わせることができるようになっている。このスライド構造としては、例えば特許文献１に示すように、ベースの端部上面で切断刃と直交姿勢で回転操作可能に支持されたボルトにトップガイドを螺合させて、ボルトの回転操作によってトップガイドをボルトに沿ってネジ送りすることで、ドライバー等の工具を用いずにトップガイドの微調整を可能としたものが知られている。
【０００４】
【特許文献１】実開昭５９−８７９０１号公報
【発明の開示】
【発明が解決しようとする課題】
【０００５】
このようなネジ手段による調整は、ボルトの不意の回転によってトップガイドが移動してしまうおそれがあり、位置調整の信頼性に欠ける。特に、ボルトがベースの上方で横向きに支持されるため、作業時に偶発的にボルトを回転させるおそれが高い上、調整機構の設置スペースが大きくなって操作性や作業性の低下にも繋がる。
【０００６】
そこで、請求項１に記載の発明は、トップガイドの位置調整を、スペースをとらないコンパクトな構造で、簡単且つ正確に行える切断機を提供することを目的としたものである。
【課題を解決するための手段】
【０００７】
上記目的を達成するために、請求項１に記載の発明は、ベースに、回転操作可能な調整ダイヤルをトップガイドの貫通状態で上下方向に軸着し、調整ダイヤルにおけるトップガイドへの貫通部分にカム部を形成して、調整ダイヤルの回転操作に伴うカム部の回転により、トップガイドをスライドさせることを特徴とするものである。
請求項２に記載の発明は、請求項１の目的に加えて、調整ダイヤルによる調整の信頼性をより高めるために、調整ダイヤルに、その回転に抵抗を与える負荷手段及び／又はその回転を任意にロック可能なロック手段を設けたものである。
請求項３に記載の発明は、請求項２の目的に加えて、負荷手段を簡単に形成するために、負荷手段を、調整ダイヤルとトップガイドとの間、または調整ダイヤルを軸着する軸の先端側と調整ダイヤルとの間にあって、調整ダイヤルを軸方向へ付勢する弾性体としたものである。
【０００８】
請求項４に記載の発明は、請求項２または３の目的に加えて、ロック手段を簡単に形成するために、ロック手段を、調整ダイヤルに対して移動操作可能に設けられ、所定の位置で調整ダイヤルの回転を直接または間接に規制可能な回転規制部材としたものである。
請求項５に記載の発明は、請求項４の目的に加えて、調整ダイヤルの防塵性を高めて良好な操作性を維持するために、回転規制部材に、調整ダイヤルの回転規制位置で調整ダイヤルの上方を覆うカバー部を設けたものである。
【発明の効果】
【０００９】
請求項１に記載の発明によれば、調整ダイヤルの回転操作によってトップガイドの調整を容易且つ正確に行うことができる。而も、トップガイドに対して上下方向でベースへ軸着されるから、ベース上で占めるスペースは非常に小さくて全体がコンパクトとなり、切断機の操作性や作業性への影響は生じない。
請求項２に記載の発明によれば、請求項１の効果に加えて、調整ダイヤルの不意の回転が効果的に防止され、トップガイドの調整の信頼性がより高まる。
請求項３に記載の発明によれば、請求項２の効果に加えて、負荷手段を簡単に形成することができる。
請求項４に記載の発明によれば、請求項２または３の効果に加えて、ロック手段を簡単に形成することができる。
請求項５に記載の発明によれば、請求項４の効果に加えて、調整ダイヤルの防塵性を高めて良好な操作性を維持することができる。
【発明を実施するための最良の形態】
【００１０】
以下、本発明の実施の形態を図面に基づいて説明する。
図１は、切断機の一例である丸鋸機の一部の背面説明図、図２はその平面説明図である。丸鋸機１は、前後方向に長い平面矩形状のベース２上に、片側（左側）にモータ４を、反対側に円盤状の鋸刃５（切断刃）を夫々備えた本体３を、鋸刃５がベース２の長手端縁と平行となる姿勢で設け、鋸刃５をベース２を貫通して下方へ突出させている。また、本体３は、切断方向（ベース２の長手方向）の後端が、前後方向の軸６によってベース２に軸着される図示しない円弧状のデプスガイドへ任意の位置で固定可能となっており、デプスガイドに沿った固定位置の選択によって、鋸刃５のベース２から下方への突出量（切込量）が調整可能となっている。
【００１１】
さらに、本体３は、軸６を中心に回転可能に支持される一方、ベース２の前後端には、軸６を中心とする円弧状のガイド溝８を有するガイドプレート７が短手方向に夫々立設されて、本体３の前後面が、ガイド溝８内を摺動可能なツマミネジ９によって固定可能となっている。よって、ツマミネジ９を緩めると、本体３が軸６を中心にしてモータ４側へ傾動可能となり、任意の角度でツマミネジ９を緊締することで、鋸刃５がベース２に対して最大で４５度傾斜した姿勢で固定可能となる。
【００１２】
一方、ベース２の後端には、ベース２の短手方向に沿って矩形状の切欠き１０が形成されると共に、その切欠き１０を覆う格好でベース２の上面にトップガイド１１が設けられている。このトップガイド１１は、図３にも示すように、切欠き１０の開放側の端縁に、ベース２の長手方向への端縁を鋸刃５の０°と４５°（ベース２からの垂線に対する角度）とでの延長面上に合わせた一対の調整溝１２，１２を有する板状体で、トップガイド１１の周縁には、調整溝１２，１２の部分と後述する調整ダイヤル１６の部分とを除いて折り返し片１３が下向きに形成されている。この折り返し片１３のうち、ガイドプレート７側の部分は、図６に示すように、ベース２の切欠部１０の端縁に立設されたストッパ１４を跨ぐ格好でベース２上に当接して、調整溝１２を形成する壁部１５との間でストッパ１４を挟持している。よって、トップガイド１１は、ストッパ１４に沿ってベース２の短手方向へ前後にスライド可能となっている。
【００１３】
１６は、トップガイド１１の端部位置でベース２に設けられた調整ダイヤルで、この調整ダイヤル１６は、図１及び図５に示すように、ベース２に螺合された段付ネジ１７によって回転可能に軸着される円盤状体で、トップガイド１１の上面に露出する大径の操作部１８と、トップガイド１１を貫通する小径のカム部１９との二段径を呈し、操作部１８の周面には上下方向の溝２０，２０・・が略等間隔に形成されている。また、操作部１８とトップガイド１１との間には、負荷手段となるＯリング２１が介在されて、調整ダイヤル１６を段付ネジ１７の頭部側へ押圧する付勢力を得ている。
【００１４】
そして、カム部１９は、図４に示すように、一箇所に尖端部２２を設けた略円形を呈して、段付ネジ１７の貫通孔との偏心位置に形成されている。トップガイド１１には、カム部１９が遊嵌する遊嵌孔２３が、ガイドプレート７側が略矩形で、反対側がカム部１９と略同じ円形となる複合形状で形成されている。よって、カム部１９の尖端部２２が遊嵌孔２３の矩形側にある状態から調整ダイヤル１６を左右何れかへ回転させると、尖端部２２が遊嵌孔２３の側面を押圧し、トップガイド１１を尖端部２２の回転側へスライドさせることになる。
【００１５】
一方、ガイドプレート７には、クリック板２４が設けられている。このクリック板２４は、ガイドプレート７におけるトップガイド１１側の面に凹設された凹部２５へ進退動可能に収容され、凹部２５の底部に設けたコイルバネ２６の付勢によって前方へ突出する。この突出状態で、クリック板２４は調整ダイヤル１６の操作部１８に当接し、外面に上下方向で突設したラック２７を操作部１８の溝２０に係合させるようになっている。さらに、ガイドプレート７におけるクリック板２４の上方には、ガイドプレート７と平行な上板２９と、ガイドプレート７と直交する下板３０とからなる断面Ｌ字状のロック板（回転規制部材）２８が、上板２９を貫通するネジ３１によって螺着されている。
【００１６】
但し、このロック板２８は、上板２９に形成されるネジ３１の貫通孔３２が、円形孔を上下に連結させた瓢箪状となっていることから、図５の実線及び二点鎖線で示すように、ロック板２８は、貫通孔３２の狭小部を境にしてネジ３１に対して上下何れかの位置で選択的に保持可能となっている。３３は上板２９の表面側で上下方向に突設された補強リブ、３４は補強リブ３３の上端で直交方向に突設された指掛け部である。
【００１７】
さらに、ロック板２８における上板２９の裏側には、倒Ｌ字状のロック片３５が突設されて、凹部２５の上方でガイドプレート７に上下方向へ連設された第２凹部３６に嵌入している。このロック片３５は、ロック板２８の下位置では、先端がクリック板２４の裏側に係止し、クリック板２４の凹部２５内への没入を阻止するもので、この状態では、クリック板２４が調整ダイヤル１６の操作部１８に係合したまま固定されるため、調整ダイヤル１６の回転はロックされる。なお、ロック板２８の下板３０は、ロック板２８の下位置では調整ダイヤル１６の上面を略覆うカバー部となっている。
【００１８】
以上の如く構成された丸鋸機１においては、トップガイド１１の調整を行う場合、指掛け部３４を利用してロック板２８を上位置に移動させた状態で、調整ダイヤル１６の操作部１８をつまんで調整ダイヤル１６を回転させれば、前述の如く、カム部１９の回転に伴ってトップガイド１１がベース２の短手方向へスライドするため、調整溝１２の端縁を鋸刃５の延長面に合わせることができる。この調整ダイヤル１６の回転時には、クリック板２４がコイルバネ２６の付勢に抗して凹部２５内を前後移動しながら操作部１８外周の溝２０，２０・・へ順に係脱するため、良好なクリック作用が得られると共に、調整ダイヤル１６の回し過ぎも防止される。また、トップガイド１１のスライドは、カム部１９の回転による押圧であるから、調整ダイヤル１６の回転量に対してトップガイド１１のスライド量は少なく、微調整も容易に行える。
【００１９】
こうしてトップガイド１１の調整が終了して調整ダイヤル１６から手を離しても、調整ダイヤル１６はＯリング２１の弾性によって段付ネジ１７の頭部側へ付勢される格好となるため、調整ダイヤル１６が不意に回転するおそれは少ない。なお、指掛け部３４を利用してロック板２８を下方へ押し下げると、ロック片３５がクリック板２４に係合してその後退を規制するため、クリック板２４が係合する調整ダイヤル１６の回転もロックされ、トップガイド１１は当該位置でスライドが規制されることになる。また、ロック板２８の下降と共に下板３０が調整ダイヤル１６の上方を覆うため、作業時に発生した粉塵等が段付ネジ１７と調整ダイヤル１６との間に侵入するおそれも少なくなる。
一方、再びトップガイド１１の調整が必要になった際は、ロック板２８を上方へ押し上げてクリック板２４の後退規制を解除すれば、調整ダイヤル１６の回転が可能となる。
【００２０】
このように上記形態の丸鋸機１によれば、ベース２に、回転可能な調整ダイヤル１６をトップガイド１１の貫通状態で軸着し、調整ダイヤル１６におけるトップガイド１１への貫通部分にカム部１９を形成して、調整ダイヤル１６の回転に伴うカム部１９の回転により、トップガイド１１をスライド可能としたことで、調整ダイヤル１６の回転操作によってトップガイド１１の調整を容易且つ正確に行うことができる。而も、トップガイド１１に対して上下方向でベース２へ軸着されるから、ベース２上で占めるスペースは非常に小さくて全体がコンパクトとなり、丸鋸機１の操作性や作業性への影響は生じない。
【００２１】
また、調整ダイヤル１６に、その回転に抵抗を与える負荷手段及びその回転を任意にロック可能なロック手段を設けたことで、調整ダイヤル１６の不意の回転が効果的に防止され、トップガイド１１の調整の信頼性がより高まるようになっている。
さらに、負荷手段を、調整ダイヤル１６の操作部１８とトップガイド１１との間に介在されるＯリング２１としたことで、負荷手段を簡単に形成可能となっている。
【００２２】
そして、ロック手段を、調整ダイヤル１６に対して移動操作可能に設けられ、下降位置で調整ダイヤル１６の回転を間接に規制可能なロック板２８としたことで、ロック手段が簡単に形成可能となっている。
加えて、ロック板２８に、調整ダイヤル１６の回転規制位置（下降位置）で調整ダイヤル１６の上方を覆う下板３０を設けているから、調整ダイヤル１６の防塵性が高まり、良好な操作性が維持可能となっている。
【００２３】
なお、上記形態では、調整ダイヤルに負荷手段とロック手段との両方を設けているが、どちらか一方を省略することもできる。また、負荷手段は、Ｏリングに代えてコイルバネや板バネ等の他の弾性体を使用可能で、用いる場所もトップガイドと調整ダイヤルとの間に限らない。例えば、図７（Ａ）は負荷手段を調整ダイヤルの上側に設けた変更例を示すもので、ここでは段付ネジ１７に代えて、トップガイド１１及び調整ダイヤル１６を、ベース２上へ回転不能に立設されるピン３７によって支持させ、そのピン３７における調整ダイヤル１６の上方に、二面幅の面取部３８を設けると共に、抑えリング３９を回転不能且つ軸方向へスライド可能に外嵌している。そして、その抑えリング３９とピン３７の上端に固着されたワッシャー４０との間にコイルバネ４１を介在させて、コイルバネ４１の付勢によって抑えリング３９を調整ダイヤル１６に押圧して、調整ダイヤル１６の回転に抵抗を与えている。
【００２４】
また、ロック手段も、上記形態では、回転規制部材となるロック板がクリック板を介して調整ダイヤルの回転規制を行っているが、クリック板を省略して、ロック板を直接調整ダイヤルと係脱させて調整ダイヤルの回転ロックとその解除とを可能としても良い。
また、回転規制部材としてはネジや弾性体等も使用可能である。例えば、図７（Ｂ）はネジを利用したロック手段の変更例を示すもので、ここでは、ベース２上へ回転可能に立設したピン４２に支持される調整ダイヤル１６を、ピン４２の面取部４３によって一体回転可能に連結し、調整ダイヤル１６の回転操作にピン４２を追従させる一方、ピン４２における調整ダイヤル１６の上方に抑えナット４４を螺合させて、抑えナット４４の下方へのネジ送りによって調整ダイヤル１６を直接押圧して回転規制するものである。図７の何れの場合も調整ダイヤルの同軸上で負荷手段やロック手段が構成されるため、省スペースとなっている。
【００２５】
その他、カム部や遊嵌孔等の形状も上記形態に限らず、例えばカム部を三角形や卵形にしてトップガイドをスライドさせるようにしても良いし、調整ダイヤルの位置も、トップガイドにおける上記形態と反対側の端部に設けたり、中央に設けたりしても差し支えない。勿論、丸鋸機以外にもカッタ等の他の切断機にも本発明は適用可能である。
【図面の簡単な説明】
【００２６】
【図１】丸鋸機の背面図である。
【図２】丸鋸機の一部平面図である。
【図３】トップガイドの平面図である。
【図４】調整ダイヤルの底面図である。
【図５】ベースにおける調整ダイヤル部分の断面図である。
【図６】ベースにおけるトップガイドの調整溝部分の断面図である。
【図７】（Ａ）は負荷手段の変更例の断面図、（Ｂ）はロック手段の変更例の断面図である。
【符号の説明】
【００２７】
１・・丸鋸機、２・・ベース、３・・本体、５・・鋸刃、７・・ガイドプレート、１１・・トップガイド、１２・・調整溝、１６・・調整ダイヤル、１７・・段付ネジ、１８・・操作部、１９・・カム部、２１・・Ｏリング、２２・・尖端部、２３・・遊嵌孔、２４・・クリック板、２８・・ロック板、２９・・上板、３０・・下板、３５・・ロック片。
【図１】
2005066730.tif 000003
【図２】
2005066730.tif 000004
【図３】
2005066730.tif 000005
【図４】
2005066730.tif 000006
【図５】
2005066730.tif 000007
【図６】
2005066730.tif 000008
【図７】
2005066730.tif 000009